【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
保護用絆創膏であって、
互いに反対側に位置する第１の面と第２の面とを備えた可撓性フィルムの皮膚接触層と、
前記皮膚接触層の第１の面の一部分に取付けられ且つ前記一部分の上を延びる可撓性フィルムの中空ドームと、を有し、この中空ドームは、その可撓性フィルムの側壁によって少なくとも部分的に定められる高さと、頂部分とを有し、前記皮膚接触層は、前記中空ドーム全体の下に延び、前記頂部分は、前記高さと関連した距離にわたって前記皮膚接触層の第１の面に沿って自由に移動可能であり、
前記第２の面は、保護すべき表面に接着式に取付け可能である、保護用絆創膏。
【請求項２】
更に、前記皮膚接触層の第２の面の少なくとも一部分に支持された接着材料の層を有する、請求項１記載の保護用絆創膏。
【請求項３】
前記接着材料の層は、前記皮膚接触層の前記第２の面と同一の広がりを有する、請求項２記載の保護用絆創膏。
【請求項４】
前記接着材料の層は、前記中空ドームの反対側でこれと整列した前記皮膚接触層の第２の面の領域には存在しない、請求項２記載の保護用絆創膏。
【請求項５】
更に、前記中空ドームが覆っている前記皮膚接触層の前記一部分の外側において前記皮膚接触層を貫いて延びる孔のアレイを有する、請求項１記載の保護用絆創膏。
【請求項６】
前記孔の最大寸法は、０．２５ｍｍ〜１．２７ｍｍである、請求項５記載の保護用絆創膏。
【請求項７】
前記孔は、前記アレイにおいて０．０３インチ〜０．０９インチ（０．７６ｍｍ〜２．２８ｍｍ）の距離だけ互いに間隔を置いて位置している、請求項６記載の保護用絆創膏。
【請求項８】
前記中空ドームは、その可撓性フィルムのドーム頂部層を有し、前記ドーム頂部層は、前記中空ドームを包囲し且つこれから遠ざかるように延びるスカート部分を有し、このスカート部分は、前記皮膚接触層に接着式に取付けられる、請求項１記載の保護用絆創膏。
【請求項９】
更に、前記スカート部分と一致し且つ前記スカート部分を前記皮膚接触層に取付ける接着材料の層を有する、請求項８記載の保護用絆創膏。
【請求項１０】
前記ドーム頂部層は、前記スカート部分から前記頂部分まで延びる前記側壁を有する、請求項８記載の保護用絆創膏。
【請求項１１】
前記中空ドームの頂部分は、平らであり、前記ドーム頂部層のスカート部分と平行に延びる、請求項１０記載の保護用絆創膏。
【請求項１２】
更に、前記中空ドームの側壁と頂部分とを相互に連結する弧状移行部分を有する、請求項１１記載の保護用絆創膏。
【請求項１３】
前記皮膚接触層は、前記ドーム頂部層よりも広い、請求項８記載の保護用絆創膏。
【請求項１４】
前記皮膚接触層は、細長く、前記ドーム頂部層を越えて互いに逆の１対の両方向に延びる、請求項１３記載の保護用絆創膏。
【請求項１５】
前記スカート部分は、直線部分を含む縁部を有し、前記皮膚接触層は、前記直線部分を越えて前記ドーム頂部層から遠ざかるように延び、前記保護用絆創膏は、前記皮膚接触層を貫いて延びる孔のアレイを有するが、前記保護用絆創膏には、前記孔が、前記縁部の直線部分から所定距離だけ延びる領域にわたって設けられていない、請求項８記載の保護用絆創膏。
【請求項１６】
前記孔のいくつかは、前記スカート部分を貫いて延びる、請求項１５記載の保護用絆創膏。
【請求項１７】
前記中空ドームの高さは、少なくとも４ｍｍである、請求項１記載の保護用絆創膏。
【請求項１８】
前記保護用絆創膏の厚さは、０．１５３ｍｍ未満である、請求項１記載の保護用絆創膏。
【請求項１９】
前記中空ドームは、その可撓性フィルムのドーム頂部層を有し、前記ドーム頂部層は、前記皮膚接触層よりも薄い、請求項１記載の保護用絆創膏。
【請求項２０】
前記中空ドームは、その可撓性フィルムのドーム頂部層を有し、前記皮膚接触層は、前記ドーム頂部層よりも弾性が大きい材料のものである、請求項１記載の保護用絆創膏。
【請求項２１】
前記中空ドームは、その可撓性フィルムのドーム頂部層を有し、前記ドーム頂部層の前記可撓性フィルムは、前記保護用絆創膏の使用中に前記中空ドームが実質的に潰されるのに十分なガスに対する透過性を有する、請求項１記載の保護用絆創膏。
【請求項２２】
前記中空ドームは、円形である、請求項１記載の保護用絆創膏。
【請求項２３】
前記皮膚接触層は、長円形である、請求項２２記載の保護用絆創膏。
【請求項２４】
更に、前記中空ドームの頂部分と前記皮膚接触層との間に潤滑剤を有する、請求項１記載の保護用絆創膏。
【請求項２５】
更に、前記皮膚接触層の第２の面の一部分を覆う親水コロイド材料の層を有する、請求項１記載の保護用絆創膏。
【請求項２６】
前記中空ドームは、実質的に潰され、前記頂部分のいくらかは、前記皮膚接触層と接触する、請求項１記載の保護用絆創膏。
【請求項２７】
絆創膏の製造方法であって、
（ａ）可撓性フィルムを成形して、可撓性の側壁及び頂部分を有する可撓性ドームを形成し、前記可撓性ドームを、それから半径方向外方に延びる前記可撓性ドームの可撓性フィルムのほぼ平らなスカートによって包囲されるように残す工程と、
（ｂ）しかる後、前記スカートを、可撓性フィルムのほぼ平らな皮膚接触層に接着式に取付ける工程とを有し、前記皮膚接触層は、少なくとも前記可撓性ドーム全体の下に延び、前記可撓性ドームは、潰れ可能であり、前記頂部分は、前記皮膚接触層に沿って移動可能である、製造方法。
【請求項２８】
前記スカートを前記皮膚接触層に取付ける工程は、転写接着剤層に、前記可撓性ドームに一致する開口を形成する工程と、しかる後、前記転写接着剤層を前記スカート及び前記皮膚接触層に取付ける工程とを含む、請求項２７記載の方法。
【請求項２９】
前記スカートを前記皮膚接触層に取付ける工程の前、更に、可撓性フィルムのほぼ平らなドームベース層を前記皮膚接触層に且つ少なくとも前記可撓性ドーム全体の下に延びる適所に接着式に取付ける工程を有し、
前記スカートを前記皮膚接触層に取付ける工程は、前記スカートの一部分を前記ドームベース層に接着式に取付ける工程を含む、請求項２７記載の方法。
【請求項３０】
前記ドームベース層を前記皮膚接触層に接着式に取付ける工程は、転写接着剤層を前記ドームベース層及び前記皮膚接触層の第１の面に取付ける工程を含む、請求項２９記載の方法。
【請求項３１】
更に、小さく、密に間隔を置き且つ前記絆創膏を貫通する孔のアレイを形成する工程を有する、請求項２７記載の方法。
【請求項３２】
前記可撓性ドームに孔を空ける工程を有する、請求項２７記載の方法。
【請求項３３】
人により使用される物品と摩擦減少装置との組合せであって、摩擦減少装置は、
（ａ）互いに反対側に位置する第１の面と第２の面とを有する可撓性材料の支持層と、
（ｂ）前記支持層の第１の面の一部分に取付けられ且つその一部分を覆って延びる可撓性材料の中空ドームと、を有し、前記中空ドームは、高さ及び頂部分を有し、前記頂部分は、前記高さと関連した距離にわたって前記支持層の第１の面に沿って自由に移動可能であり、
（ｃ）前記第２の面は、保護すべき表面に前記中空ドームを露出させるように衣料品の一部に取付けられる、組合せ。
【請求項３４】
前記衣料品は、靴である、請求項３３記載の組合せ。
【請求項３５】
前記中空ドームの可撓性材料は、ポリマーフィルムを含む、請求項３３記載の組合せ。
【請求項３６】
前記中空ドームの可撓性材料は、織布を含む、請求項３３記載の組合せ。
【請求項３７】
摩擦減少装置を有する、衣料品用の取外し可能なアクセサリであって、摩擦減少装置は、
（ａ）互いに反対側に位置する第１の面と第２の面とを有する可撓性材料の支持層と、
（ｂ）前記支持層の第１の面の一部分に取付けられ且つその一部分を覆って延びる可撓性材料の中空ドームと、を有し、前記中空ドームは、高さ及び頂部分を有し、前記頂部分は、前記高さと関連した距離にわたって前記支持層の第１の面に沿って自由に移動可能であり、
（ｃ）前記アクセサリの使用中、前記第２の面は、保護すべき表面に前記中空ドームを露出させるように前記アクセサリの一部に取付けられる、アクセサリ。
【請求項３８】
前記取外し可能なアクセサリは、靴用ヒールカウンタを含む、請求項３７記載の組合せ。
【請求項３９】
前記取外し可能なアクセサリは、靴用インソールを含む、請求項３７記載のアクセサリ。
【請求項４０】
前記中空ドームの可撓性材料は、ポリマーフィルムを含む、請求項３７記載のアクセサリ。
【請求項４１】
前記中空ドームの可撓性材料は、織布を含む、請求項３７記載のアクセサリ。
【請求項４２】
絆創膏の製造方法であって、
（ａ）可撓性フィルムを成形して、可撓性の側壁及び頂部分を有する可撓性ドームを形成し、前記可撓性ドームを、それから半径方向外方に延び且つ前記可撓性ドームを構成する可撓性フィルムのほぼ平らなスカートによって包囲されるように残す工程と、
（ｂ）しかる後、前記スカートを、少なくとも前記可撓性ドーム全体の下に延びるように可撓性フィルムの皮膚接触層に接着式に取付ける工程と、前記皮膚接触層と前記可撓性ドームの頂部分との間の前記側壁を、それが自由に曲がるように残し、それにより、前記可撓性ドームを潰れ可能に残し、前記頂部分を、それが前記側壁によって制限される程度まで前記皮膚接触層に沿って移動可能であるように残す工程と、を有する製造方法。
【請求項４３】
前記スカートを前記皮膚接触層に取付ける工程の前、更に、可撓性フィルムのドームベース層を前記皮膚接触層に接着式に取付ける工程を有し、
前記スカートを前記皮膚接触層に取付ける工程は、前記可撓性ドームを前記ドームベース層の上に配置する工程と、前記スカートの一部分を前記ドームベース層に接着式に取付ける工程と、前記側壁が自由に曲がるまま残し、それにより、前記頂部分が前記ドームベース層に沿って自由に移動したまま残す工程とを含む、請求項４２記載の方法。
【請求項４４】
前記可撓性ドームに孔を空ける工程を有する、請求項４２記載の方法。